(57)【特許請求の範囲】
【請求項１】
原稿の画像を読取る読取り手段と、その読取り手段の制御及び読取った画像データの処理を司る制御手段とを備えた画像読取り装置において、
画像データを送受信可能なホストコンピュータに接続用コードを介して接続する為の第１コネクタと、
プリンタに接続用コードを介して接続する為の第２コネクタと、
前記ホストコンピュータから第１コネクタを介して送信された画像データを第２コネクタを介してプリンタに直接に出力する第１転送モードと、読取り手段で読取った画像データを第１コネクタを介してホストコンピュータに出力する第２転送モードと、読取り手段で読取った画像データを第２コネクタを介してプリンタに出力する第３転送モードとに択一的に切換え可能なデータ転送制御手段とを備え、
前記データ転送制御手段は、前記第２転送モードを実行後にも、前記第３転送モードを実行後にも、デフォルト状態としての前記第１転送モードに自動的に切換える
ことを特徴とする画像読取り装置。
【請求項２】
前記データ転送制御手段は、
前記第１コネクタのデータ用端子と第２コネクタのデータ用端子とを接続する第１データラインと、
前記第１コネクタのデータ用端子と前記制御手段とを接続する第２データラインと、
前記第２コネクタのデータ用端子と前記制御手段とを接続する第３データラインと、
前記第１転送モードのときには第１データラインを接続状態にし、第２転送モードのときには第２データラインを接続状態にし、第３転送モードのときには第３データラインを接続状態にするデータライン切換え手段と、
を備えたことを特徴とする請求項１に記載の画像読取り装置。
【請求項３】
前記データ転送制御手段は、更に、
前記第１コネクタの制御信号用端子と第２コネクタの制御信号用端子とを接続する第１制御信号ラインと、
前記第１コネクタの制御信号用端子と前記制御手段とを接続する第２制御信号ラインと、
前記第２コネクタの制御信号用端子と前記制御手段とを接続する第３制御信号ラインと、
前記第１転送モードのときには第１制御信号ラインを接続状態にし、第２転送モードのときには第２制御信号ラインを接続状態にし、第３転送モードのときには第３制御信号ラインを接続状態にする制御信号ライン切換え手段と、
を備えたことを特徴とする請求項２に記載の画像読取り装置。
【請求項４】
前記第１，第２コネクタと、第１〜第３データラインと、データライン切換え手段と、第１〜第３制御信号ラインと、制御信号ライン切換え手段とは、夫々パラレルデータを転送可能に構成されたことを特徴とする請求項１〜請求項３の何れか１項に記載の画像読取り装置。
【請求項５】
前記第１コネクタは、プリンタに設けられたコネクタと同一の構造に構成され、また、第２コネクタは、ホストコンピュータに設けられたコネクタと同一の構造に構成されたことを特徴とする請求項１〜請求項３の何れか１項に記載の画像読取り装置。
【請求項６】
原稿の画像を読取る読取り手段を備えた画像読取り装置と、その画像読取り装置に接続用コードを介して接続され画像データを送受信可能なホストコンピュータと、画像読取り装置に接続用コードを介して接続されたプリンタとからなる画像データ転送システムであって、
前記画像読取り装置は、
前記ホストコンピュータに接続用コードを介して接続される第１コネクタと、
前記プリンタに接続用コードを介して接続される第２コネクタと、
前記ホストコンピュータから第１コネクタを介して送信された画像データ及び制御信号を第２コネクタを介してプリンタに直接に出力する第１転送モードと、読取り手段で読取った画像データ及び制御信号を第１コネクタを介してホストコンピュータに出力する第２転送モードと、読取り手段で読取った画像データ及び制御信号を第２コネクタを介してプリンタに出力する第３転送モードとに択一的に切換え可能なデータ転送制御手段とを備え、
前記データ転送制御手段は、前記第２転送モードを実行後にも、前記第３転送モードを実行後にも、デフォルト状態としての前記第１転送モードに自動的に切換える
ことを特徴とする画像データ転送システム。
【請求項７】
前記データ転送制御手段は、第１転送モードのときに、ホストコンピュータから、所定の転送モード切換え用コマンドデータを受けたときには、強制的に第２転送モードに切換えるように構成されたことを特徴とする請求項６に記載の画像データ転送システム。
【請求項８】
前記画像読取り装置に複写指令スイッチを設け、この複写指令スイッチが操作されたときには、データ転送制御手段は、強制的に第３転送モードに切換えられるとともに、ホストコンピュータに画像データの送信停止を指令するビジィー信号を出力するように構成されたことを特徴とする請求項６に記載の画像データ転送システム。
【発明の詳細な説明】
【０００１】
【産業上の利用分野】
本発明は、画像読取り装置及び画像データ転送システムに関し、特に画像読取り装置のデータ転送モードを切換えることで、画像読取り装置と、この画像読取り装置に接続したホストコンピュータと、この画像読取り装置に接続したプリンタとの相互間で、画像データの双方向転送切換えを可能にするようにしたものに関する。
【０００２】
【従来の技術】
従来、画像読取り装置としてのイメージスキャナは、原稿に描かれた画像情報を読取り機構により光学的に読み込んで画像データを作成し、例えば、パーソナルコンピュータなどに出力するものであり、通常、パーソナルコンピュータと接続用ケーブルで接続する為の専用のコネクタを１つ備えている。
一方、そのパーソナルコンピュータは、イメージスキャナからの画像データを受信可能に構成されるとともに、作成した画像データや、イメージスキャナから送信された画像データを、例えば、レーザプリンタなどに送信可能に構成されている。
【０００３】
ここで、一般に、パーソナルコンピュータには、パラレルデータを送受信可能な１つのセントロニクス用コネクタと、セントロニクス通信用ポートとが設けられており、イメージスキャナからの画像データを受信するときには、そのセントロニクス用コネクタに一端部のコネクタを接続した接続用コードの他端部のコネクタをイメージスキャナの通信用コネクタに接続する一方、作成した画像データや、イメージスキャナから送信された画像データを印字するときには、その接続用コードの他端部のコネクタを、レーザプリンタなどのプリンタの通信用コネクタに切り換えて接続するようにしている。
【０００４】
ところで、パーソナルコンピュータに、パラレルデータを送受信可能なセントロニクス用コネクタを２つ設け、一方のセントロニクス用コネクタとイメージスキャナの通信用コネクタとを専用の接続用コードで接続する一方、他方のセントロニクス用コネクタとプリンタの通信用コネクタとを専用の接続用コードで接続するようにし、接続用コードを切換えることなく、イメージスキャナからの画像データの読み込みと画像データの印字とを簡単に行えるようにしたパーソナルコンピュータも実用化されている。
【０００５】
更に、特開平１─２５６８６０号公報には、スキャナプリンターに、パラレルデータを受信可能な２つの通信用コネクタを設け、一方の通信用コネクタとパーソナルコンピュータのセントロニクス用コネクタとを専用の接続用コードで接続する一方、他方の通信用コネクタとイメージスキャナの通信用コネクタとを専用の接続用コードで接続するようにし、転送された画像データを記憶する為にコンピュータに設ける大容量をメモリを不要にでき、しかもイメージスキャナからの画像データをパーソナルコンピュータに転送することなく高速印字を可能にしたスキャナプリンターが記載されている。
【０００６】
【発明が解決しようとする課題】
前述したように、パーソナルコンピュータに、パラレルデータを送受信可能なセントロニクス用コネクタを１つだけ設けている場合には、イメージスキャナからの画像データを受信するときや、その画像データをプリンタに送信して印字するときには、接続用コードの他端部のコネクタを、イメージスキャナとプリンタとの何れか一方から他方にその都度切換える為の切換え作業が面倒になること、原稿の画像と同様の画像を複数枚に亙って複写するような場合、イメージスキャナからの画像データをパーソナルコンピュータに転送してから印字することになり、原稿の複写の為のデータ転送が煩雑化すること、などの問題がある。
【０００７】
また、パーソナルコンピュータに、パラレルデータを送受信可能なセントロニクス用コネクタを２つ設け、これらセントロニクス用コネクタの各々に、夫々専用の接続用コードを介してイメージスキャナとプリンタとを接続するようにした場合には、接続用コードの接続を切換える作業を省略できるが、２系統のパラレルデータを送受信可能なセントロニクス用ポートを２つ分設けることから、パーソナルコンピュータがコスト高になること、原稿の画像を複写するような場合、イメージスキャナからの画像データをパーソナルコンピュータに転送してから印字することになり、原稿の複写の為のデータ転送が煩雑化すること、などの問題がある。
【０００８】
更に、特開平１─２５６８６０号公報に記載のように、パラレルデータを受信可能な２つの通信用コネクタを設けたスキャナプリンターにおいては、原稿の画像を簡単に複写することができるが、イメージスキャナからの画像データをパーソナルコンピュータに転送して、その画像データを記憶することができないという問題がある。
【０００９】
本発明の目的は、画像読取り装置にホストコンピュータとプリンタとを接続し、画像読取り装置の転送モードを切換えることで、これら画像読取り装置とホストコンピュータとプリンタとの相互間で、画像データの双方向転送切換えを可能にし得るような画像読取り装置及び画像データ転送システムを提供することにある。
【００１０】
【課題を解決するための手段】
請求項１に係る画像読取り装置は、原稿の画像を読取る読取り手段と、その読取り手段の制御及び読取った画像データの処理を司る制御手段とを備えた画像読取り装置において、画像データを送受信可能なホストコンピュータに接続用コードを介して接続する為の第１コネクタと、プリンタに接続用コードを介して接続する為の第２コネクタと、ホストコンピュータから第１コネクタを介して送信された画像データを第２コネクタを介してプリンタに直接に出力する第１転送モードと、読取り手段で読取った画像データを第１コネクタを介してホストコンピュータに出力する第２転送モードと、読取り手段で読取った画像データを第２コネクタを介してプリンタに出力する第３転送モードとに択一的に切換え可能なデータ転送制御手段とを備え、前記データ転送制御手段は、前記第２転送モードを実行後にも、前記第３転送モードを実行後にも、デフォルト状態としての前記第１転送モードに自動的に切換えることを特徴とするものである。
【００１１】
請求項２に係る画像読取り装置は、請求項１の発明において、前記データ転送制御手段に、第１コネクタのデータ用端子と第２コネクタのデータ用端子とを接続する第１データラインと、第１コネクタのデータ用端子と制御手段とを接続する第２データラインと、第２コネクタのデータ用端子と制御手段とを接続する第３データラインと、第１転送モードのときには第１データラインを接続状態にし、第２転送モードのときには第２データラインを接続状態にし、第３転送モードのときには第３データラインを接続状態にするデータライン切換え手段とを備えたものである。
【００１２】
請求項３に係る画像読取り装置は、請求項２の発明において、前記データ転送制御手段は、更に、第１コネクタの制御信号用端子と第２コネクタの制御信号用端子とを接続する第１制御信号ラインと、第１コネクタの制御信号用端子と制御手段とを接続する第２制御信号ラインと、第２コネクタの制御信号用端子と制御手段とを接続する第３制御信号ラインと、第１転送モードのときには第１制御信号ラインを接続状態にし、第２転送モードのときには第２制御信号ラインを接続状態にし、第３転送モードのときには第３制御信号ラインを接続状態にする制御信号ライン切換え手段とを備えたものである。
【００１３】
請求項４に係る画像読取り装置は、請求項１〜請求項３の何れか１項の発明において、前記第１，第２コネクタと、第１〜第３データラインと、データライン切換え手段と、第１〜第３制御信号ラインと、制御信号ライン切換え手段とは、夫々パラレルデータを転送可能に構成されたものである。
【００１４】
請求項５に係る画像読取り装置は、請求項１〜請求項３の何れか１項の発明において、前記第１コネクタは、プリンタに設けられたコネクタと同一の構造に構成され、また、第２コネクタは、ホストコンピュータに設けられたコネクタと同一の構造に構成されたものである。
【００１５】
請求項６に係る画像データ転送システムは、原稿の画像を読取る読取り手段を備えた画像読取り装置と、その画像読取り装置に接続用コードを介して接続され画像データを送受信可能なホストコンピュータと、画像読取り装置に接続用コードを介して接続されたプリンタとからなる画像データ転送システムであって、画像読取り装置は、ホストコンピュータに接続用コードを介して接続される第１コネクタと、プリンタに接続用コードを介して接続される第２コネクタと、ホストコンピュータから第１コネクタを介して送信された画像データ及び制御信号を第２コネクタを介してプリンタに直接に出力する第１転送モードと、読取り手段で読取った画像データ及び制御信号を第１コネクタを介してホストコンピュータに出力する第２転送モードと、読取り手段で読取った画像データ及び制御信号を第２コネクタを介してプリンタに出力する第３転送モードとに択一的に切換え可能なデータ転送制御手段とを備え、前記データ転送制御手段は、前記第２転送モードを実行後にも、前記第３転送モードを実行後にも、デフォルト状態としての前記第１転送モードに自動的に切換えることを特徴とするものである。
【００１６】
【００１７】
請求項７に係る画像データ転送システムは、請求項６の発明において、前記データ転送制御手段は、第１転送モードのときに、ホストコンピュータから、所定の転送モード切換え用コマンドデータを受けたときには、強制的に第２転送モードに切換えるように構成されたものである。
【００１８】
請求項８に係る画像データ転送システムは、請求項６の発明において、前記画像読取り装置に複写指令スイッチを設け、この複写指令スイッチが操作されたときには、データ転送制御手段は、強制的に第３転送モードに切換えられるとともに、ホストコンピュータに画像データの送信停止を指令するビジィー信号を出力するように構成されたものである。
【００１９】
【作用】
請求項１に係る画像読取り装置においては、第１コネクタに接続用コードを介して画像データを送受信可能なホストコンピュータを接続し、第２コネクタに接続用コードを介してプリンタを接続した場合、データ転送制御手段は、第１〜第３転送モードの何れかに択一的に切換え可能であることから、第１転送モードに切換えられたときには、ホストコンピュータから第１コネクタを介して送信された画像データを第２コネクタを介してプリンタに直接に出力でき、また第２転送モードに切換えられたときには、読取り手段で読取った画像データを第１コネクタを介してホストコンピュータに出力でき、更に第３転送モードに切換えられたときには、読取り手段で読取った画像データを第２コネクタを介してプリンタに出力することができる。
【００２０】
このように、データ転送制御手段を第１〜第３転送モードの何れかに択一的に切換え可能にし、第１転送モードに切換えたときには、ホストコンピュータからの画像データをプリンタに直接に出力して印字することができ、また第２転送モードに切換えたときには、読取り手段で読取った画像データをホストコンピュータに出力できるだけでなく、第３転送モードに切換えたときには、その読取った画像データをプリンタに出力して、原稿を複写用に印字することができることから、接続用コードの接続を切換える操作を省略でき、更に原稿の複写操作を簡単化することができる。
そして、前記データ転送制御手段は、前記第２転送モードを実行後にも、前記第３転送モードを実行後にも、デフォルト状態としての前記第１転送モードに自動的に切換えるため、ホストコンピュータに作成した画像データをプリンタで印字するときには、わざわざ第１転送モードに切換えることなく、簡単に画像データの印字を実行することができる。
【００２１】
請求項２に係る画像読取り装置においては、請求項１と同様の作用を奏するが、前記データ転送制御手段は、第１コネクタのデータ用端子と第２コネクタのデータ用端子とを接続する第１データラインと、第１コネクタのデータ用端子と制御手段とを接続する第２データラインと、第２コネクタのデータ用端子と制御手段とを接続する第３データラインと、第１転送モードのときには第１データラインを接続状態にし、第２転送モードのときには第２データラインを接続状態にし、第３転送モードのときには第３データラインを接続状態にするデータライン切換え手段とを備えているので、第１転送モードに切換えられたときには、データライン切換え手段により第１データラインが接続状態にされて、第１コネクタに接続されたホストコンピュータからの画像データを、第１コネクタと第１データラインと第２コネクタとを介してプリンタに転送でき、第２転送モードに切換えられたときには、データライン切換え手段により第２データラインが接続状態にされて、読取り手段で読取った画像データを、制御手段と第２データラインと第１コネクタとを介してホストコンピュータに転送でき、また第３転送モードに切換えられたときには、データライン切換え手段により第３データラインが接続状態にされて、読取り手段で読取った画像データを、制御手段と第３データラインと第２コネクタとを介してプリンタに転送できる。
【００２２】
請求項３に係る画像読取り装置においては、請求項２と同様の作用を奏するが、前記データ転送制御手段は、更に、第１コネクタの制御信号用端子と第２コネクタの制御信号用端子とを接続する第１制御信号ラインと、第１コネクタの制御信号用端子と制御手段とを接続する第２制御信号ラインと、第２コネクタの制御信号用端子と制御手段とを接続する第３制御信号ラインと、第１転送モードのときには第１制御信号ラインを接続状態にし、第２転送モードのときには第２制御信号ラインを接続状態にし、第３転送モードのときには第３制御信号ラインを接続状態にする制御信号ライン切換え手段とを備えているので、第１転送モードに切換えられたときには、制御信号ライン切換え手段により第１制御信号ラインが接続状態にされて、第１コネクタに接続されたホストコンピュータからの制御信号を、第１コネクタと第１制御信号ラインと第２コネクタとを介してプリンタに転送でき、第２転送モードに切換えられたときには、制御信号ライン切換え手段により第２制御信号ラインが接続状態にされて、制御手段からの制御信号を、第１制御信号ラインと第１コネクタとを介してホストコンピュータに転送でき、また第３転送モードに切換えられたときには、制御信号ライン切換え手段により第３制御信号ラインが接続状態にされて、制御手段からの制御信号を、第３制御信号ラインと第２コネクタとを介してプリンタに転送できる。
【００２３】
請求項４に係る画像読取り装置においては、請求項１〜請求項３の何れか１項と同様の作用を奏するが、前記第１，第２コネクタと、第１〜第３データラインと、データライン切換え手段と、第１〜第３制御信号ラインと、制御信号ライン切換え手段とは、夫々パラレルデータを転送可能に構成されているので、画像データを、例えば１バイト単位で一括的に転送でき、転送速度の高速化を図ることができる。
【００２４】
請求項５に係る画像読取り装置においては、請求項１〜請求項３の何れか１項と同様の作用を奏するが、前記第１コネクタは、プリンタに設けられたコネクタと同一の構造に構成され、また、第２コネクタは、ホストコンピュータに設けられたコネクタと同一の構造に構成されているので、ホストコンピュータのコネクタとプリンタのコネクタとが異なる種類のものであっても、ホストコンピュータと第１コネクタとを接続する接続用コードと同様の接続用コードを、第２コネクタとプリンタとを接続する接続用コードにも適用することができる。
【００２５】
請求項６に係る画像データ転送システムにおいては、原稿の画像を読取る読取り手段を備えた画像読取り装置に設けた第１コネクタに接続用コードを介して画像データを送受信可能なホストコンピュータが接続されるとともに、その画像読取り装置に設けた第２コネクタに接続用コードを介してプリンタが接続され、データ転送制御手段は、第１〜第３転送モードの何れかに択一的に切換え可能であることから、第１転送モードに切換えられたときには、ホストコンピュータから第１コネクタを介して送信された画像データ及び制御信号を第２コネクタを介してプリンタに直接に出力するでき、また第２転送モードに切換えられたときには、読取り手段で読取った画像データ及び制御信号を第１コネクタを介してホストコンピュータに出力でき、更に第３転送モードに切換えられたときには、読取り手段で読取った画像データ及び制御信号を第２コネクタを介してプリンタに出力することができる。
【００２６】
このように、画像読取り装置に、第１コネクタを介してホストコンピュータに接続するとともに、第２コネクタを介してプリンタに接続し、データ転送制御手段を第１〜第３転送モードの何れかに択一的に切換え可能にしたので、第１転送モードに切換えたときには、ホストコンピュータからの画像データをプリンタに直接に出力して印字することができ、また第２転送モードに切換えたときには、読取り手段で読取った画像データをホストコンピュータに出力できるだけでなく、第３転送モードに切換えたときには、その読取った画像データをプリンタに出力して、原稿を複写用に印字することができることから、接続用コードの接続を切換える操作を省略でき、更に原稿の複写操作を簡単化することができる。そして、前記データ転送制御手段は、前記第２転送モードを実行後にも、前記第３転送モードを実行後にも、前記第１転送モードに自動的に切換えるため、ホストコンピュータに作成した画像データを印字するときには、わざわざ第１転送モードに切換えることなく、簡単に画像データの印字を実行することができる。
【００２７】
【００２８】
請求項７に係る画像データ転送システムにおいては、請求項６と同様の作用を奏するが、前記データ転送制御手段は、第１転送モードのときに、ホストコンピュータから、所定の転送モード切換え用コマンドデータを受けたときには、強制的に第２転送モードに切換えるように構成されているので、ホストコンピュータから転送モード切換え用コマンドデータを画像読取り装置に出力するだけで、接続用コードを切換えることなく、画像読取り装置で読取った原稿の画像データをホストコンピュータに簡単に送信させることができる。このとき、その転送モード切換え用コマンドデータはプリンタで印字不可能なデータなので、印字されることはない。
【００２９】
請求項８に係る画像データ転送システムにおいては、請求項６と同様の作用を奏するが、前記画像読取り装置に複写指令スイッチを設け、この複写指令スイッチが操作されたときには、データ転送制御手段は、強制的に第３転送モードに切換えられるとともに、ホストコンピュータに画像データの送信停止を指令するビジィー信号を出力するように構成されているので、原稿を複写するときには、接続用コードを切換えたり、第３転送モードに切換える為の操作を何らすることなく、複写指令スイッチを操作するだけで、簡単に第３転送モードに切換えることができる。
【００３０】
【実施例】
以下、本発明の実施例について、図面に基づいて説明する。
本実施例は、図２に示すように、ホストコンピュータ１０とレーザプリンタ２０とを、原稿の画像を読取る画像読取り装置としてのイメージスキャナ３０に接続した画像データ転送システム１に本発明を適用した場合のものである。
【００３１】
ホストコンピュータ１０は、図１に示すように、ＩＥＥＥ１２８４の通信用インターフェースに基づいて画像データをパラレル転送方式で送受信可能な一般的なパーソナルコンピュータなどからなり、画像データをパラレルデータとして送受信可能で２５ピンの端子を有するセントロニクス用コネクタ１１と、セントロニクス通信用ポートとを備えている。また、レーザプリンタ２０は、送信されたパラレルの画像データを受信して、レーザ光を走査しながら印字用紙に印字するレーザ方式の印字機構を備えたプリンタであり、画像データを受信する為に、３６ピンの端子を有するセントロニクス用コネクタ２１を設けている。
【００３２】
一方、イメージスキャナ３０は、図１・図２に示すように、複数枚の原稿を積載して載置可能な原稿台３２が設けられ、本体フレーム３１の内部には、その原稿台３２に積載された複数枚の原稿のうち、下側の原稿から１枚ずつ取り出して、所定の搬送経路を経て排紙する為の原稿搬送機構（図示略）が設けられ、その搬送経路の途中部には、原稿の画像を読取る為に、多数のＣＣＤ（電荷結合素子）を列設した読取りセンサ４０（図２参照）が設けられている。
更に、本体フレーム３１には、電源スイッチ３５が設けられ、本体フレーム３１の上面には、操作パネル３３が設けられ、その操作パネル３３には、複写指令スイッチ３４などの操作スイッチが設けられている。
【００３３】
次に、イメージスキャナ３０の制御系は、図２のブロック図に示すように構成されている。制御装置５０の入出力インターフェース５４には、読取りセンサ４０から出力されたシリアルの画像データをパラレルの画像データに変換するＳ／Ｐ変換器４１、複写指令スイッチ３４、原稿搬送機構を駆動する原稿送りモータ４２の為の駆動回路４３、その他には図示しないが、原稿を読取る為の光源、カバーオープン検出用スイッチなどが接続されている。
【００３４】
制御装置５０は、基本的に、ＣＰＵ５１と、このＣＰＵ５１にデータバスなどのバス５５を介して接続された入出力インターフェース５４と、ＲＯＭ５２及びＲＡＭ５３から構成されている。また、その制御装置５０には、バス５５を介してデータ転送制御回路６０が接続されている。そのデータ転送制御回路６０には、パラレルの画像データ及び制御信号を転送可能な３６ピンの端子を有するアンフェノール型の第１接続用コネクタ５８と、パラレルの画像データ及び制御信号を転送可能な２５ピンの端子を有するＤＳＵＢ型の第２接続用コネクタ５９とが設けられている。
【００３５】
そして、その第１接続用コネクタ５８は、レーザプリンタ２０に設けられたコネクタ２１と同一の構造に構成され、また、第２接続用コネクタ５９は、ホストコンピュータ１０に設けられたコネクタ１１と同一の構造に構成され、一端部に２５ピンの端子を有するＤＳＵＢ型のコネクタ１６と他端部に３６ピンの端子を有するアンフェノール型のコネクタ１７とを取り付けた接続用コード１５により、ホストコンピュータ１０とイメージスキャナ３０とが接続されているとともに、この接続用コード１５と同様に構成された接続用コード１５により、レーザプリンタ２０とイメージスキャナ３０とが接続されている。
【００３６】
前記ＲＯＭ５２には、印字機構を駆動する印字駆動制御プログラムや、ＩＥＥＥ１２８４の通信用インターフェースに基づいて画像データをパラレル転送方式で送信する為のパラレルインターフェースである転送制御プログラム、本願特有の後述の画像データ転送モード切換え制御の制御プログラムなどが格納されている。前記ＲＡＭ５３には、受信バッファやラインバッファなど、画像データの印字や転送に必要な各種のメモリが設けられている。
【００３７】
次に、データ転送制御回路６０について、図３に基づいて説明する。
先ず、画像データの転送に関して説明すると、８ビットからなるパラレルの画像データの転送を切換え制御するデータライン切換え回路７０について説明する。第１接続用コネクタ５８の８個のデータ端子DA１〜DA８の各々は、夫々専用のデータラインＬ１〜Ｌ８を介して第２接続用コネクタ５９の８個のデータ端子DB１〜DB８に対応させて夫々接続され、各データラインＬ１〜Ｌ８の途中部には、第１〜第３転送モードの何れかが択一的に切換えられた転送モードに応じて、データラインＬ１〜Ｌ８と、Ｌ１１〜Ｌ１８と、Ｌ２１〜Ｌ２８とに択一的に切換えて接続状態にするデータライン切換え回路７０が夫々設けられている。
【００３８】
ところで、これら８本のデータラインＬ１〜Ｌ８の各々に設けられたデータライン切換え回路７０は同様に構成されているので、データ端子DA１とデータ端子DB１とを接続するデータラインＬ１に設けられたデータライン切換え回路７０について説明する。
データラインＬ１は、パラレルデータを双方向転送可能に構成されているので、第１接続用コネクタ５８から第２接続用コネクタ５９に向かう第１方向ラインＬ１ａと、第２接続用コネクタ５９から第１接続用コネクタ５８に向かう第２方向ラインＬ１ｂとに分岐され、第１方向ラインＬ１ａには、出力バッファ・ゲート７３と、セレクタ７４と、出力許可端子付き出力バッファ・ゲート７５とが図示のように介設され、また第２方向ラインＬ１ｂには、同様に、出力バッファ・ゲート７６と、セレクタ７１と、出力許可端子付き出力バッファ・ゲート７２とが図示のように介設されている。
【００３９】
そして、これら２つの出力バッファ・ゲート７２・７６と２つのセレクタ７１・７４とは、転送方向切換えレジスタ６１からの切換え信号で夫々作動するように構成され、その転送方向切換えレジスタ６１には、コントロールバス５５ａを介してＣＰＵ５１からの切換え信号を受け、或いはゲートアレイからなる転送方向コントローラ６６からの切換え信号を受けるように構成されている。
即ち、転送方向切換えレジスタ６１により、「Ｈ」レベルの選択信号DSB がセレクタ７４に供給され且つ「Ｌ」レベルの出力許可信号DOB が出力バッファ・ゲート７５に供給されると、セレクタ７４の端子「１」が選択され且つ出力バッファ・ゲート７５が導通して、第１方向ラインＬ１ａが接続状態になり、また「Ｈ」レベルの選択信号DSA がセレクタ７１に供給され且つ「Ｌ」レベルの出力許可信号DOA が出力バッファ・ゲート７２に供給されると、セレクタ７１の端子「１」が選択され且つ出力バッファ・ゲート７２が導通して、第２方向ラインＬ１ｂが接続状態になる。
【００４０】
一方、セレクタ７１の端子「０」と第１出力データレジスタ６４とはデータラインＬ１１で接続されるとともに、セレクタ７４の端子「０」と第２出力データレジスタ６５とはデータラインＬ２１で接続され、これら第１，第２出力データレジスタ６４・６５は、８ビットのデータバス５５ｂを介してＣＰＵ５１に夫々接続されている。即ち、第２転送モードのときには、「Ｌ」レベルの選択信号DSA がセレクタ７１に供給され且つ「Ｌ」レベルの出力許可信号DOA が出力バッファ・ゲート７２に供給されるので、データラインＬ１１が接続状態になり、ＣＰＵ５１からの画像データが第１接続用コネクタ５８を介してホストコンピュータ１０に出力され、また第３転送モードのときには、「Ｌ」レベルの選択信号DSB がセレクタ７４に供給され且つ「Ｌ」レベルの出力許可信号DOB が出力バッファ・ゲート７５に供給されるので、データラインＬ２１が接続状態になり、ＣＰＵ５１からの画像データが第２接続用コネクタ５９を介してレーザプリンタ２０に出力される。
【００４１】
ところで、ホストコンピュータ１０からのデータを常に受信できるように、第１方向ラインＬ１ａと第１入力データレジスタ６２とはデータラインＬ３１で接続され、またレーザプリンタ２０からのデータを常に受信できるように、第２方向ラインＬ１ｂと第２入力データレジスタ６３とはデータラインＬ４１で接続され、これら第１，第２入力データレジスタ６２・６３は、８ビットのデータバス５５ｃを介してＣＰＵ５１に夫々接続されている。
【００４２】
ここで、前記転送方向コントローラ６６は、コントロールバス５５ｄに接続された転送方向自動切換えレジスタ６７から自動切換え信号ADENを受け、この自動切換え信号ADENが「Ｈ」レベルのときには、ホストコンピュータ１０からのアクティブ信号ACTAとホストビジィー信号H.BSYAとに応じて、或いはレーザプリンタ２０からのデータリクエスト信号ADRBとデータアベイル信号DAVBとに応じて転送方向切換えレジスタ６１を制御する。
また、データラッチ６８は、第１入力データレジスタ６２とコントロールバス５５ｄとに接続され、ホストコンピュータ１０から送信されて第１入力データレジスタ６２にセットされたコマンドデータを読み出して制御信号としてコントロールバス５５ｄに転送する為のものである。
【００４３】
次に、制御信号の転送に関して説明すると、ホストコンピュータ１０から周辺機器に対して送信される３つの制御信号、アクティブ信号ACTAとホストクロック信号H.CLKAとホストビジィー信号H.BSYAとを受ける第１接続用コネクタ５８の各制御信号端子は、制御信号ラインＬ５１〜Ｌ５３を介して第２接続用コネクタ５９の対応する各制御信号端子に接続されている。そして、制御信号ラインＬ５１〜Ｌ５３には、２つの出力バッファ・ゲート８６・８７とセレクタ８３〜８５とが図示のように介設され、第１転送モードのときには、これらセレクタ８３〜８５は、切換え制御レジスタ８０からの「Ｈ」レベルの切換え信号SSB により、端子「１」を選択し、これら３つの制御信号ラインＬ５１〜Ｌ５３が接続状態になる。
【００４４】
これらアクティブ信号ACTAとホストクロック信号H.CLKAとホストビジィー信号H.BSYAとは、夫々ホストコンピュータ１０から周辺機器に対して送信する信号であり、アクティブ信号ACTAは、ＩＥＥＥ−１２８４インターフェースを作動させ且つデータバスによるデータの転送方向を設定し、ホストクロック信号H.CLKAは、コマンドデータ転送のタイミングを指示し、ホストビジィー信号H.BSYAはデータ転送のタイミングを指示するものである。
【００４５】
ここで、第１入力状態レジスタ８１は、これら３つの制御信号ラインＬ５１〜Ｌ５３に接続した制御信号ラインＬ５４〜Ｌ５６からアクティブ信号ACTAとホストクロック信号H.CLKAとホストビジィー信号H.BSYAとを受けてコントールバス５５ｅに転送し、また第２出力状態レジスタ８２は、第３転送モードのときに、コントールバス５５ｅから受けたこれら３つの制御信号を制御信号ラインＬ５７〜Ｌ５９を介してセレクタ８３〜８５の端子「０」に転送可能になっている。
【００４６】
更に、レーザプリンタ２０からホストコンピュータ１０に対して送信される５つの制御信号、データリクエスト信号ADRBとプリンタクロック信号P.CLKBとプリンタビジィー信号P.BSYBとデータアベイル信号DAVBとＸフラグ信号XFLGB とを受ける第２接続用コネクタ５９の各制御信号端子は、制御信号ラインＬ６０〜Ｌ６４を介して第１接続用コネクタ５８の対応する各制御信号端子に接続されている。そして、制御信号ラインＬ６０〜Ｌ６４には、２つの出力バッファ・ゲート９７・９８とセレクタ９２〜９６とが図示のように介設され、第１転送モードのときには、これらセレクタ９２〜９６は、切換え制御レジスタ８０からの「Ｈ」レベルの切換え信号SSA により、端子「１」を選択し、これら５つの制御信号ラインＬ６０〜Ｌ６４が接続状態になる。
【００４７】
これらデータリクエスト信号ADRBとプリンタクロック信号P.CLKBとプリンタビジィー信号P.BSYBとデータアベイル信号DAVBとＸフラグ信号XFLGB とは、夫々周辺機器からホストコンピュータ１０に対して送信する信号であり、プリンタクロック信号P.CLKBは、データ転送のタイミングを指示し、プリンタビジィー信号P.BSYBは、周辺機器のビジィー状態を指示し、データアベイル信号DAVBは、転送データが存在することを指示るものである。
【００４８】
ここで、第１出力状態レジスタ９０は、第２転送モードのときに、コントールバス５５ｄから受けたこれら５つの制御信号を制御信号ラインＬ６５〜Ｌ６９を介してセレクタ９２〜９６の端子「０」に転送し、また第２入力状態レジスタ９１は、これら５つの制御信号ラインＬ６０〜Ｌ６４に接続した制御信号ラインＬ７０〜Ｌ７４からこれら５つの制御信号を受けてコントールバス５５ｄに転送可能になっている。
【００４９】
次に、イメージスキャナ３０の制御装置５０により、データ転送制御回路６０を第１〜第３転送モードの何れかに択一的に切換える画像データ転送モード切換え制御のルーチンについて、図４〜図８のフローチャートに基づいて、図９，図１０のタイムチャートを参照しながら説明する。尚、図中符号Ｓｉ（ｉ＝１０、１１、１２・・・）は各ステップである。
【００５０】
操作パネル３３の電源スイッチ３５が操作されて電源が投入されるとこの制御が開始され、先ずデフォルト状態としての第１転送モードを設定する設定処理制御（図５参照）が実行される（Ｓ10）。この制御が開始されると，先ず切換え制御レジスタ８０により、２つの「Ｈ」レベルの切換え信号SSA ，SSB が出力される（Ｓ20）。これにより、３つのセレクタ８３〜８５は同時に端子「１」を選択するので、３つの制御信号ラインＬ５１〜Ｌ５３が夫々接続状態になるとともに、５つのセレクタ９２〜９６は同時に端子「１」を選択するので、５つの制御信号ラインＬ６０〜Ｌ６４が接続状態になる。
【００５１】
次に、転送方向切換えレジスタ６１により、「Ｈ」レベルの出力許可信号DOA と、「Ｈ」レベルの選択信号DSB と、「Ｌ」レベルの出力許可信号DOB とが夫々出力される（Ｓ21）。これにより、データラインＬ１の第１方向ラインＬ１ａが接続状態にされる。更に、転送方向自動切換えレジスタ６７に制御データが転送されて、転送方向自動切換えレジスタ６７から転送方向コントローラ６６に「Ｈ」レベルの自動切換え信号ADENが出力されて、転送方向コントローラ６６によるデータライン切換え回路７０の切換えが自動切換え可能にされ（Ｓ22）、この制御を終了して、転送モード切換え制御のＳ11にリターンする。その結果、第１転送モードが設定されて、ホストコンピュータ１０からの画像データはこれらデータラインＬ１〜Ｌ８を経てレーザプリンタ２０に直接に転送されるとともに、ホストコンピュータ１０からの各種の制御信号は制御信号ラインＬ５１〜Ｌ５３を経てレーザプリンタ２０に直接に転送される。
【００５２】
次に、転送モード切換え制御において、第１転送モードのときには、ホストコンピュータ１０から転送モード切換え用コマンドが送信されているか否かを検出するコマンドデータ検出処理制御（図６参照）が実行される（Ｓ11）。但し、ホストコンピュータ１０からは、１バイト毎の送信データに伴って、ホストビジィー信号H.BSYAをその都度「Ｌ」レベルに立ち下げるようになっている。この制御が開始されたときに、ホストビジィー信号H.BSYAが「Ｈ」レベルのときには送信データが無いので（Ｓ30：No）、切換えコマンド検出フラグＤＦがリセットされ（Ｓ47）、この制御を終了して、転送モード切換え制御のＳ12にリターンする。
【００５３】
しかし、図９に示すように、コマンドデータの送信に伴って、ホストビジィー信号H.BSYAが「Ｌ」レベルで且つアクティブ信号ACTAが「Ｌ」レベルのときに（Ｓ30，Ｓ31：Yes ）、第１入力データレジスタ６２のデータに基づいて、送信コードが「！」のときに（Ｓ32：Yes ）、ホストビジィー信号H.BSYAが「Ｈ」レベルになった後（Ｓ33：Yes ）、以下同様にして、ホストビジィー信号H.BSYAが「Ｌ」レベルになる毎に第１入力データレジスタ６２のデータを読み込んで、送信コードが「Ｓ」、「Ｃ」、「Ｎ」のときには（Ｓ34〜Ｓ45）、切換えコマンド検出フラグＤＦがセットされ（Ｓ46）、この制御を終了して、前記Ｓ12にリターンする。但し、Ｓ31〜Ｓ32、Ｓ35〜Ｓ36、Ｓ39〜Ｓ40、Ｓ43〜Ｓ44の何れかが「No」と判定されたときには、切換えコマンド検出フラグＤＦがリセットされる（Ｓ47）。
【００５４】
そして、転送モード切換え制御において、切換えコマンド検出フラグＤＦがセットされていないとき、つまり切換えコマンドを検出しなかったときに（Ｓ12：No）、しかも複写指令スイッチ３４が操作されていないときには（Ｓ13：No）、第１転送モードの状態で、Ｓ11〜Ｓ13が繰り返して実行される。ところで、転送モード切換え用コマンドデータ検出処理を実行した結果、切換えコマンド検出フラグＤＦがセットされているときには（Ｓ12：Yes ）、第２転送モード切換え処理制御（図７参照）が実行される（Ｓ14）。
【００５５】
この制御が開始されると、図９（ａ），（ｂ）に示すように、先ずデータリクエスト信号ADRAが「Ｌ」レベルに、プリンタクロック信号P.CLKAが「Ｈ」レベルに、プリンタビジィー信号P.BSYAが「Ｌ」レベルに、データアベイル信号DAVAが「Ｈ」レベルに、Ｘフラグ信号XFLGA が「Ｈ」レベルに設定されるとともに、アクティブ信号ACTBが「Ｌ」レベルに、ホストクロック信号H.CLKBが「Ｈ」レベルに、ホストビジィー信号H.BSYBが「Ｈ」レベルに設定される（Ｓ50）。
【００５６】
また、切換え制御レジスタ８０により、２つの「Ｌ」レベルの切換え信号SSA ，SSB が出力されるとともに、転送方向自動切換えレジスタ６７から転送方向コントローラ６６に「Ｌ」レベルの自動切換え信号ADENが出力されて（Ｓ51）、３つのセレクタ８３〜８５は同時に端子「０」を選択するので、３つの制御信号ラインＬ５７〜Ｌ５９が夫々接続状態になるとともに、５つのセレクタ９２〜９６は同時に端子「０」を選択するので、５つの制御信号ラインＬ６５〜Ｌ６９が接続状態になり、更に転送方向コントローラ６６によるデータライン切換え回路７０の自動切換えが不可能にされる。
【００５７】
更に、「Ｈ」レベルの出力許可信号DOA と、「Ｌ」レベルの選択信号DSA と、「Ｈ」レベルの出力許可信号DOB とが夫々出力されて（Ｓ52）、セレクタ７１の端子「０」を選択して第１出力データレジスタ６４のデータ出力が可能にされる。次に、転送方式が双方向であることを確認する為に、先ず第１出力データレジスタ６４にデータ「５５（ｈ）」がセットされ（Ｓ53）、「Ｌ」レベルの出力許可信号DOA と、「Ｌ」レベルの選択信号DSA と、「Ｈ」レベルの出力許可信号DOB とが夫々出力されて（Ｓ54）、データラインＬ１１を接続状態にしておき、プリンタクロック信号P.CLKAが「Ｌ」レベルにされ（Ｓ55）、そのデータ「５５（ｈ）」がホストコンピュータ１０に転送される。
【００５８】
更に、第１出力データレジスタ６４にデータ「ＡＡ（ｈ）」がセットされ（Ｓ56）、プリンタクロック信号P.CLKAを「Ｈ」レベルに切換えて、そのデータ「ＡＡ（ｈ）」をホストコンピュータ１０に転送した後、再度「Ｌ」レベルに切換えられる（Ｓ57〜Ｓ58）。次に、出力許可信号DOA が「Ｈ」レベルに切換えられて、データラインＬ１の第１方向ラインＬ１ａが接続状態にされ（Ｓ59）、プリンタクロック信号P.CLKAが「Ｈ」レベルに切換えられる（Ｓ60）。
【００５９】
次に、第１入力データレジスタ６２に格納されたホストコンピュータ１０からの転送データについて、データラッチ６８のデータを読み込んで、原稿の画像データ転送開始を指示する、エスケープコード「ＥＳＣ」を伴う転送開始指示データ「＜ＥＳＣ＞Ｓ」を受信するまで待機され（Ｓ61：No）、転送開始指示データ「＜ＥＳＣ＞Ｓ」を受信したときには（Ｓ61：Yes ）、出力バッファ・ゲート７２に「Ｌ」レベルの出力許可信号DOA が出力されて、データラインＬ１１が接続状態にされた後（Ｓ62）、図示しない画像データ転送制御に画像データの転送を指令しておき（Ｓ63）、画像データの送信終了に伴って、データ受信を可能にする為に、出力バッファ・ゲート７２に「Ｈ」レベルの出力許可信号DOA が出力され（Ｓ64）、画像データ転送終了を指示する、エスケープコード「ＥＳＣ」を伴う転送終了指示データ「＜ＥＳＣ＞Ｅ」を受信するまで待機される（Ｓ65：No）。
【００６０】
即ち、画像データの転送開始時においては、図９（ａ）に示すように、アクティブ信号ACTAが「Ｈ」レベルに立ち上がった後、所定のタイミングで「Ｌ」レベルの出力許可信号DOA が出力バッファ・ゲート７２に供給されてデータラインＬ１１が接続状態になり、ＣＰＵ５１からの画像データがデータラインＬ１１と第１接続用コネクタ５８とを介してホストコンピュータ１０に出力して記憶される。そして、イメージスキャナ３０からホストコンピュータ１０への原稿の画像データの転送が終了して、アクティブ信号ACTAが「Ｌ」レベルに立ち下がるのに伴って、「Ｈ」レベルの出力許可信号DOA が出力バッファ・ゲート７２に供給されて、第１方向ラインＬ１ａが接続状態にされ、ホストコンピュータ１０から転送された転送終了指示データ「＜ＥＳＣ＞Ｅ」を受信したときには（Ｓ65：Yes ）、この制御を終了して、画像データ転送モード切換え制御のＳ10にリターンして、第１転送モードに切換えられる。
【００６１】
ところで、転送モード切換え制御において、Ｓ11〜Ｓ13を繰り返して実行する第１転送モードのときに、複写指令スイッチ３４が操作されたときには（Ｓ13：Yes ）、第３転送モード切換え処理制御（図８参照）が実行される（Ｓ15）。
この制御が開始されると、図１０（ａ），（ｂ）に示すように、先ずデータリクエスト信号ADRAが「Ｌ」レベルに、プリンタクロック信号P.CLKAが「Ｈ」レベルに、プリンタビジィー信号P.BSYAが「Ｈ」レベルに、データアベイル信号DAVAが「Ｈ」レベルに、Ｘフラグ信号XFLGA が「Ｈ」レベルに夫々設定される（Ｓ70）。また、アクティブ信号ACTBが「Ｌ」レベルに、ホストクロック信号H.CLKBが「Ｈ」レベルに、ホストビジィー信号H.BSYBが「Ｈ」レベルに夫々設定される（Ｓ71）。
【００６２】
更に、切換え制御レジスタ８０により、２つの「Ｌ」レベルの切換え信号SSA ，SSB が出力されるとともに（Ｓ72）、転送方向自動切換えレジスタ６７から転送方向コントローラ６６に「Ｌ」レベルの自動切換え信号ADENが出力されて（Ｓ73）、３つのセレクタ８３〜８５は同時に端子「０」を選択するので、３つの制御信号ラインＬ５７〜Ｌ５９が夫々接続状態になるとともに、５つのセレクタ９２〜９６は同時に端子「０」を選択するので、５つの制御信号ラインＬ６０〜Ｌ６４が接続状態になり、転送方向コントローラ６６によるデータライン切換え回路７０の自動切換えが不可能にされる。ここで、図１０（ａ）に示すように、「Ｈ」レベルのプリンタビジィー信号P.BSYAが制御信号ラインＬ６２を介してホストコンピュータ１０に送信されて、ホストコンピュータ１０に対して画像データの送信停止が指令される。
【００６３】
更に、「Ｈ」レベルの出力許可信号DOA と、「Ｌ」レベルの選択信号DSB と、「Ｌ」レベルの出力許可信号DOB とが夫々出力されて（Ｓ74）、セレクタ７４の端子「０」を選択してデータラインＬ２１が接続状態にされ、第２出力データレジスタ６５にセットされた画像データのレーザプリンタ２０への出力が可能になる。次に、図示しない画像データ転送制御に画像データのレーザプリンタ２０への転送を指令する（Ｓ75）。そして、画像データ転送終了までＳ76において待機され（Ｓ76：No）、画像データ転送が終了したときには（Ｓ76：Yes ）、プリンタビジィー信号P.BSYAが「Ｌ」レベルに切換えられ、この制御を終了して、前記Ｓ10にリターンして、第１転送モードに切換えられる。
【００６４】
次に、画像データ転送モード切換え制御の作用について説明する。但し、画像データについては、第１接続用コネクタ５８又は第２接続用コネクタ５９に転送される１ビットのデータラインについて説明する。イメージスキャナ３０に電源が投入されると、８ビットに対応する８個のデータライン切換え回路７０において、セレクタ７４の端子「１」が選択されるとともに、「Ｈ」レベルの出力許可信号DOB が出力バッファ・ゲート７５に供給されるので、データラインＬ１の第１方向ラインＬ１ａが接続状態にされる。一方、２つの「Ｈ」レベルの切換え信号SSA ，SSB が出力されて、３つのセレクタ８３〜８５は同時に端子「１」を選択するので、３つの制御信号ラインＬ５１〜Ｌ５３が夫々接続状態になるとともに、５つのセレクタ９２〜９６は同時に端子「１」を選択するので、５つの制御信号ラインＬ６０〜Ｌ６４が接続状態になることから、ホストコンピュータ１０からの画像データはこれらデータラインＬ１〜Ｌ８を経てレーザプリンタ２０に直接に転送されるとともに、ホストコンピュータ１０からの各種の制御信号は制御信号ラインＬ５１〜Ｌ５３を経てレーザプリンタ２０に直接に転送される。
【００６５】
そして、第１転送モードのときに、ホストコンピュータ１０から転送モード切換え用コマンドが送信されたときには、強制的に第２転送モードに切換えられる。即ち、「Ｌ」レベルの選択信号DSA がセレクタ７１に出力され且つ「Ｌ」レベルの出力許可信号DOA が出力バッファ・ゲート７２に供給されてデータラインＬ１１が接続状態になり、ＣＰＵ５１からの画像データがデータラインＬ１１と第１接続用コネクタ５８とを介してホストコンピュータ１０に出力される。
【００６６】
更に、第１転送モードのときに、複写指令スイッチ３４が操作されたときには、強制的に第３転送モードに切換えられる。即ち、「Ｌ」レベルの選択信号DSB がセレクタ７４に出力され且つ「Ｌ」レベルの出力許可信号DOB が出力バッファ・ゲート７５に供給されてデータラインＬ２１が接続状態になり、ＣＰＵ５１からの画像データがデータラインＬ２１と第２接続用コネクタ５９とを介してレーザプリンタ２０に出力される。
【００６７】
このように、データ転送制御回路６０において、第１接続用コネクタ５８のデータ用端子DA1 〜DA8 と第２接続用コネクタ５９のデータ用端子DB1 〜DB8 とを接続する為のデータラインＬ１〜Ｌ８と、第１接続用コネクタ５８のデータ用端子とＣＰＵ５１とを接続する為のデータラインＬ１１〜Ｌ１８と、第２接続用コネクタ５９のデータ用端子とＣＰＵ５１とを接続する為のデータラインＬ２１〜Ｌ２８とを設け、第１転送モードのときにはデータラインＬ１〜Ｌ８が接続状態にされて、第１接続用コネクタ５８に接続されたホストコンピュータ１０からの画像データを、第１接続用コネクタ５８とデータラインＬ１〜Ｌ８と第２接続用コネクタ５９とを介してレーザプリンタ２０に直接に転送でき、第２転送モードのときにはデータラインＬ１１〜Ｌ１８が接続状態にされて、読取りセンサ４０で読取った画像データを、データラインＬ１１〜Ｌ１８と第１接続用コネクタ５８とを介してホストコンピュータ１０に転送でき、更に第３転送モードのときにはデータラインＬ２１〜Ｌ２８が接続状態にされて、読取りセンサ４０で読取った画像データを、データラインＬ２１〜Ｌ２８と第２接続用コネクタ５９とを介してレーザプリンタ２０に転送できる。
【００６８】
しかも、データ転送制御回路６０においては、通常時は、デフォルト状態としての第１転送モードを設定するように構成されているので、ホストコンピュータ１０で作成した画像データをレーザプリンタ２０で印字するときには、第１転送モードに切換えることなく、簡単に画像データの印字を実行することができる。また、第１転送モードのときに、ホストコンピュータ１０から、所定の転送モード切換え用コマンドデータを受けたときには、強制的に第２転送モードに切換えるように構成されているので、ホストコンピュータ１０から転送モード切換え用コマンドデータをイメージスキャナ３０に出力するだけで、接続用コード１５を切換えることなく、原稿の画像データをホストコンピュータ１０に簡単に送信させることができる。このとき、その転送モード切換え用コマンドデータはレーザプリンタ２０で印字不可能なデータなので、印字されることはない。
【００６９】
更に、データ転送制御回路６０において、第１接続用コネクタ５８の制御信号用端子と第２接続用コネクタ５９の制御信号用端子とを接続する為の制御信号ラインＬ５１〜Ｌ５３，Ｌ６０〜Ｌ６４と、第１接続用コネクタ５８の制御信号用端子とＣＰＵ５１とを接続する制御信号ラインＬ６５〜Ｌ６９と、第２接続用コネクタ５９の制御信号用端子とＣＰＵ５１とを接続する制御信号ラインＬ５７〜Ｌ５９とを設け、第１転送モードのときには制御信号ラインＬ５１〜Ｌ５３，Ｌ６０〜Ｌ６４が接続状態にされて、ホストコンピュータ１０からの制御信号を、第１接続用コネクタ５８と制御信号ラインＬ５１〜Ｌ５３，Ｌ６０〜Ｌ６４と第２接続用コネクタ５９とを介してレーザプリンタ２０に直接に転送でき、第２転送モードのときには第２制御信号ラインが接続状態にされて、ＣＰＵ５１からの制御信号を、制御信号ラインＬ６５〜Ｌ６９と第１接続用コネクタ５８とを介してホストコンピュータ１０に転送でき、第３転送モードのときには制御信号ラインＬ５７〜Ｌ５９が接続状態にされて、ＣＰＵ５１からの制御信号を、制御信号ラインＬ５７〜Ｌ５９と第２接続用コネクタ５９とを介してレーザプリンタ２０に転送できる。
【００７０】
一方、複写指令スイッチ３４が操作されたときには、データ転送制御回路６０において、前述したように、強制的に第３転送モードに切換えられるとともに、ホストコンピュータ１０に画像データの送信停止を指令する「Ｈ」レベルのプリンタビジィー信号P.BSYAが制御信号ラインＬ６２を介してホストコンピュータ１０に送信されて、ホストコンピュータ１０に対して画像データの送信停止が指令されるので、原稿を複写するときには、接続用コード１５を切換えたり、第３転送モードに切換える為の操作を何らすることなく、複写指令スイッチ３４を操作するだけで、簡単に第３転送モードに切換えることができる。
【００７１】
更に、第１接続用コネクタ５８は、レーザプリンタ２０に設けられたコネクタ２１と同一の構造に構成され、また、第２接続用コネクタ５９は、ホストコンピュータ１０に設けられたコネクタ１１と同一の構造に構成され、一端部に２５ピンの端子を有するＤＳＵＢ型のコネクタ１６と他端部に３６ピンの端子を有するアンフェノール型のコネクタ１７とを取り付けた接続用コード１５により、ホストコンピュータ１０とイメージスキャナ３０とが接続されているとともに、この接続用コード１５と同様に構成された接続用コード１５により、レーザプリンタ２０とイメージスキャナ３０とが接続されているので、ホストコンピュータ１０のコネクタ１１とレーザプリンタ２０のコネクタ２１とが異なる種類のものであっても、ホストコンピュータ１０と第１接続用コネクタ５８とを接続する接続用コード１５と同様の接続用コードを、第２接続用コネクタ５９とレーザプリンタ２０とを接続する接続用コード１５にも適用することができる。
【００７２】
尚、前記データ転送制御回路７０において、データライン切換え回路７０を複数のリレーを用いて構成して、データ転送制御回路７０を簡単化してもよく、データラインを８ビット以外の、例えば１６ビットなどのパラレルデータを転送可能に構成するようにしてもよい。また、制御信号として、アクティブ信号ACTB、ホストクロック信号H.CLKB、ホストビジィー信号H.BSYB・・・などを用いたが、シリアル通信方式のように、通信方式が異なる場合には、その通信方式に必要な各種の制御信号ラインを設けることも可能である。また、前記実施例に関し、既存の技術や当業者に自明の技術に基いて種々の変更を加えることもあり得る。
【００７３】
【発明の効果】
請求項１に係る画像読取り装置によれば、ホストコンピュータに接続する為の第１コネクタと、プリンタに接続する為の第２コネクタと、第１〜第３転送モードの何れかに択一的に切換え可能なデータ転送制御手段とを設け、第１転送モードに切換えたときには、ホストコンピュータからの画像データをプリンタに直接に出力して印字することができ、また第２転送モードに切換えたときには、読取り手段で読取った画像データをホストコンピュータに出力できるだけでなく、第３転送モードに切換えたときには、その読取った画像データをプリンタに出力して、原稿を複写用に印字することができることから、接続用コードの接続を切換える操作を省略でき、原稿の複写操作を簡単化することができる。そして、その複写操作の間、ホストコンピュータは複写操作以外の処理を実行できる。
更に、ホストコンピュータあるいはプリンタに、２系統のパラレルデータを送受信可能なポートを２つ分設けることがなく、ホストコンピュータのコストを低減することができる。しかも、データ転送制御手段は、第２転送モードの実行後にも、第３転送モードの実行後にも、デフォルト状態としての第１転送モードに自動的に切換えるため、ホストコンピュータに作成した画像データをプリンタで印字するときには、わざわざ第１転送モードに切換えることなく、簡単に画像データの印字を実行することができる。
【００７４】
請求項２に係る画像読取り装置によれば、請求項１と同様の効果を奏するが、前記データ転送制御手段は、第１コネクタのデータ用端子と第２コネクタのデータ用端子とを接続する第１データラインと、第１コネクタのデータ用端子と制御手段とを接続する第２データラインと、第２コネクタのデータ用端子と制御手段とを接続する第３データラインと、第１転送モードのときには第１データラインを接続状態にし、第２転送モードのときには第２データラインを接続状態にし、第３転送モードのときには第３データラインを接続状態にするデータライン切換え手段とを備えているので、第１転送モードに切換えられたときには、データライン切換え手段により第１データラインが接続状態にされて、第１コネクタに接続されたホストコンピュータからの画像データを、第１コネクタと第１データラインと第２コネクタとを介してプリンタに転送でき、第２転送モードに切換えられたときには、データライン切換え手段により第２データラインが接続状態にされて、読取り手段で読取った画像データを、制御手段と第２データラインと第１コネクタとを介してホストコンピュータに転送でき、また第３転送モードに切換えられたときには、データライン切換え手段により第３データラインが接続状態にされて、読取り手段で読取った画像データを、制御手段と第３データラインと第２コネクタとを介してプリンタに転送できる。
【００７５】
請求項３に係る画像読取り装置によれば、請求項２と同様の効果を奏するが、前記データ転送制御手段は、更に、第１コネクタの制御信号用端子と第２コネクタの制御信号用端子とを接続する第１制御信号ラインと、第１コネクタの制御信号用端子と制御手段とを接続する第２制御信号ラインと、第２コネクタの制御信号用端子と制御手段とを接続する第３制御信号ラインと、第１転送モードのときには第１制御信号ラインを接続状態にし、第２転送モードのときには第２制御信号ラインを接続状態にし、第３転送モードのときには第３制御信号ラインを接続状態にする制御信号ライン切換え手段とを備えているので、第１転送モードに切換えられたときには、制御信号ライン切換え手段により第１制御信号ラインが接続状態にされて、第１コネクタに接続されたホストコンピュータからの制御信号を、第１コネクタと第１制御信号ラインと第２コネクタとを介してプリンタに転送でき、第２転送モードに切換えられたときには、制御信号ライン切換え手段により第２制御信号ラインが接続状態にされて、制御手段からの制御信号を、第１制御信号ラインと第１コネクタとを介してホストコンピュータに転送でき、また第３転送モードに切換えられたときには、制御信号ライン切換え手段により第３制御信号ラインが接続状態にされて、制御手段からの制御信号を、第３制御信号ラインと第２コネクタとを介してプリンタに転送できる。
【００７６】
請求項４に係る画像読取り装置によれば、請求項１〜請求項３の何れか１項と同様の効果を奏するが、前記第１，第２コネクタと、第１〜第３データラインと、データライン切換え手段と、第１〜第３制御信号ラインと、制御信号ライン切換え手段とは、夫々パラレルデータを転送可能に構成されているので、画像データを、例えば１バイト単位で一括的に転送でき、転送速度の高速化を図ることができる。
【００７７】
請求項５に係る画像読取り装置によれば、請求項１〜請求項３の何れか１項と同様の効果を奏するが、前記第１コネクタは、プリンタに設けられたコネクタと同一の構造に構成され、また、第２コネクタは、ホストコンピュータに設けられたコネクタと同一の構造に構成されているので、ホストコンピュータと第１コネクタとを接続する接続用コードと同様の接続用コードを、第２コネクタとプリンタとを接続する接続用コードにも適用することができる。
【００７８】
請求項６に係る画像データ転送システムによれば、画像読取り装置に、第１コネクタを介してホストコンピュータに接続するとともに、第２コネクタを介してプリンタに接続し、データ転送制御手段を第１〜第３転送モードの何れかに択一的に切換え可能にしたので、第１転送モードに切換えたときには、ホストコンピュータからの画像データをプリンタに直接に出力して印字することができ、また第２転送モードに切換えたときには、読取り手段で読取った画像データをホストコンピュータに出力して記憶できるだけでなく、第３転送モードに切換えたときには、その読取った画像データをプリンタに出力して、原稿を複写用に印字することができることから、接続用コードの接続を切換える操作を省略でき、更に原稿の複写操作を簡単化することができる。そして、その複写操作の間、ホストコンピュータは複写操作以外の処理を実行できる。更に、ホストコンピュータあるいはプリンタに、２系統のパラレルデータを送受信可能なポートを２つ分設けることがなく、ホストコンピュータのコストを低減することができる。
しかも、データ転送制御手段は、第２転送モードの実行後にも、第３転送モードの実行後にも、第１転送モードに自動的に切換えるため、ホストコンピュータに作成した画像データをプリンタで印字するときには、わざわざ第１転送モードに切換えることなく、簡単に画像データの印字を実行することができる。
【００７９】
【００８０】
請求項７に係る画像データ転送システムによれば、請求項６と同様の効果を奏するが、前記データ転送制御手段は、第１転送モードのときに、ホストコンピュータから、所定の転送モード切換え用コマンドデータを受けたときには、強制的に第２転送モードに切換えるように構成されているので、ホストコンピュータから転送モード切換え用コマンドデータを画像読取り装置に出力するだけで、接続用コードを切換えることなく、画像読取り装置で読取った原稿の画像データをホストコンピュータに簡単に送信させることができる。このとき、その転送モード切換え用コマンドデータはプリンタで印字不可能なデータなので、印字されることはなく、プリンタに不都合を生じさせない。
【００８１】
請求項８に係る画像データ転送システムによれば、請求項６と同様の効果を奏するが、前記画像読取り装置に複写指令スイッチを設け、この複写指令スイッチが操作されたときには、データ転送制御手段は、強制的に第３転送モードに切換えられるとともに、ホストコンピュータに画像データの送信停止を指令するビジィー信号を出力するように構成されているので、原稿を複写するときには、接続用コードを切換えたり、第３転送モードに切換える為の操作を何らすることなく、複写指令スイッチを操作するだけで、簡単に第３転送モードに切換えることができる。
【図面の簡単な説明】
【図１】本発明の実施例に係るイメージスキャナの斜視図である。
【図２】画像データ転送システムの制御系のブロック図である。
【図３】データ転送制御回路の回路図である。
【図４】画像データ転送モード切換え制御の概略フローチャートである。
【図５】第１転送モード設定処理制御の概略フローチャートである。
【図６】転送モード切換えコマンドデータ検出処理制御の概略フローチャートである。
【図７】第２転送モード切換え処理制御の概略フローチャートである。
【図８】第３転送モード切換え処理制御の概略フローチャートである。
【図９】（ａ）は、第１転送モードから第２転送モードへの切換え時における第１接続用コネクタの各種信号のタイムチャートであり、（ｂ）は、その切換え時における第２接続用コネクタの各種信号のタイムチャートである。
【図１０】（ａ）、は第１転送モードから第３転送モードへの切換え時における第１接続用コネクタの各種信号のタイムチャートであり、（ｂ）は、その切換え時における第２接続用コネクタの各種信号のタイムチャートである。
【符号の説明】
１    画像データ転送システム
１０    ホストコンピュータ
１５    接続用コード
２０    レーザプリンタ
３０    イメージスキャナ
３４    複写指令スイッチ
４０    読取りセンサ
５０    制御装置
５１    ＣＰＵ
５２    ＲＯＭ
５３    ＲＡＭ
５８    第１接続用コネクタ
５９    第２接続用コネクタ
６０    データ転送制御回路
７０    データライン切換え回路
Ｌ１〜Ｌ８    データライン
Ｌ５１〜Ｌ５３    制御信号ライン
Ｌ５４〜Ｌ５６    制御信号ライン
Ｌ５７〜Ｌ５９    制御信号ライン
Ｌ６０〜Ｌ６４    制御信号ライン
Ｌ６５〜Ｌ６９    制御信号ライン
Ｌ７０〜Ｌ７４    制御信号ライン
【図１】
0003555667.tif 000002
【図２】
0003555667.tif 000003
【図３】
0003555667.tif 000004
【図４】
0003555667.tif 000005
【図５】
0003555667.tif 000006
【図６】
0003555667.tif 000007
【図７】
0003555667.tif 000008
【図８】
0003555667.tif 000009
【図９】
0003555667.tif 000010
【図１０】
0003555667.tif 000011